(57)【要約】【課題】棟瓦の葺設の際に屋根勾配に関わらず確実且つ容易に棟瓦を位置決めし、位置決めした状態で棟瓦を容易に屋根の棟に取付けることができ、棟瓦を取付けた状態において外観が美しくコストのかからない棟瓦の取付け構造を提供する。【解決手段】棟２を跨いで配設される棟瓦１を、棟２の上方を覆う棟瓦本体６と、棟瓦本体６の両側端部に設けた載置部７とで構成する。棟瓦本体６の裏面の両側に略下方に突出する支持部１０を設ける。両支持部１０を前記打入部よりも内方に配置する。両支持部１０の外側面に下に行く程内方に位置するように傾斜する当たり部１２を形成する。棟瓦１の両載置部７を前記最上部の両屋根瓦４に載置すると共に前記傾斜した両当たり部１２の任意の位置を両笠木５の棟２側の上角部１１に当接する。棟瓦本体６の打入部から打入した固着具８を両笠木５に固着する。【選択図】        図１
2004150041.tif 000002
【特許請求の範囲】
【請求項１】
棟の両側に傾斜した屋根板を配置し、両屋根板の表面に屋根板の棟側端部から一定距離を隔てた箇所に位置する笠木を設け、両屋根板の表面の笠木よりも棟の反対側に位置する箇所に笠木に近接する最上部の屋根瓦を葺設し、棟を跨いで配設される棟瓦を、棟の上方を覆う棟瓦本体と、棟瓦本体の両側端部に設けた載置部とで構成し、棟瓦本体の両側の載置部の近傍に固着具を打入するための打入部を形成し、棟瓦本体の裏面の両側に略下方に突出する支持部を設け、両支持部を前記打入部よりも内方に配置し、両支持部の外側面に下に行く程内方に位置するように傾斜する当たり部を形成し、棟瓦の両載置部を前記最上部の両屋根瓦に載置すると共に前記傾斜した両当たり部の任意の位置を両笠木の棟側の上角部に当接し、棟瓦本体の打入部から打入した固着具を両笠木に固着することを特徴とする棟瓦の取付け構造。
【請求項２】
棟の両側に傾斜した屋根板を配置し、両屋根板の表面に屋根板の棟側端部から一定距離を隔てた箇所に位置する笠木を設け、両屋根板の表面の笠木よりも棟の反対側に位置する箇所に笠木に近接する最上部の屋根瓦を葺設し、棟を跨いで配設される棟瓦を、棟の上方を覆う棟瓦本体と、棟瓦本体の両側端部に設けた載置部とで構成し、棟瓦本体の両側の載置部の近傍に固着具を打入するための打入部を形成し、棟瓦本体の棟方向の複数の箇所に棟瓦本体の裏面の両側から略下方に突出する支持部を設け、各支持部を前記打入部よりも内方に配置し、各支持部の外側面に下に行く程内方に位置するように傾斜する当たり部を形成し、棟瓦の両載置部を前記最上部の両屋根瓦に載置すると共に前記傾斜した各当たり部の任意の位置を両笠木の棟側の上角部に当接し、棟瓦本体の打入部から打入した固着具を両笠木に固着することを特徴とする棟瓦の取付け構造。
【発明の詳細な説明】
【０００１】
【発明の属する技術分野】
本発明は、棟瓦の取付け構造に関するものであり、詳しくは屋根勾配の異なる屋根板に取付けられる棟瓦の取付け構造に関するものである。
【０００２】
【従来の技術】
従来から図３に示すような棟瓦１の取付け構造が知られている。この棟瓦１の取付け構造は、棟２の両側に傾斜した屋根板３を配置し、この屋根板３に配設された最上部の屋根瓦４の表面に設けた笠木５に棟瓦１を取付けるものである。そしてこのものにおいては、各笠木５間の幅を調整して笠木５を配設すると共にこの幅を調整した各笠木５に棟瓦１を取付けることで、屋根勾配が異なる屋根板３に対応して棟瓦１を取付けていた（例えば特許文献１参照）。
【０００３】
【特許文献１】
特開平１０−１６８１０１号公報（図２）
【０００４】
【発明が解決しようとする課題】
しかし上記図３に示すものにおいては、屋根勾配によって棟瓦１の両側端部と屋根瓦４との間に隙間が形成された状態で棟瓦１が笠木５に取付けられることがあり（図３（ａ）、（ｂ）参照）、これにより棟瓦１を取付けた状態の屋根棟の外観が損なわれてしまうことがあった。また屋根勾配によっては棟瓦１を笠木５に取付ける際に図３（ａ）、図３（ｂ）に示すように棟瓦１が位置決めされないことがあり、この場合棟瓦１がずれやすく取付け作業が非常に面倒であった。またこのように位置決めしない状態で棟瓦１を笠木５に取付けるため、棟瓦１を所定の位置に正確に取付けられないことがあり、これによっても屋根棟の外観が損なわれることがあった。
【０００５】
そこで本発明者は発明に至る過程において、図４（ａ）〜（ｃ）に示すように、棟２の両側に傾斜した屋根板３を配置し、各屋根板３の表面の棟２側の端部に笠木５を設け、各屋根板３の表面の笠木５よりも棟２の反対側に位置する箇所に笠木５に近接する最上部の屋根瓦４を葺設し、棟２を跨いで配設される棟瓦１を、棟２の上方を覆う棟瓦本体６と、棟瓦本体６の両側端部に設けた載置部７とで構成し、笠木５の上面に屋根勾配に対応した厚みの異なるスペーサ１７を配設し、このスペーサ１７の上面に棟瓦本体６の下面を載置すると共に棟瓦１の両載置部７を両屋根瓦４の夫々に載置することで棟瓦１の位置決めを行い、続いて棟瓦本体６の打入部から打入した固着具８を笠木に固着することで棟瓦１を取付けている。これによって棟瓦１と屋根瓦４との間には隙間が形成されなくなり、加えて棟瓦１は笠木５の上面により位置決めされるため、棟瓦１の取付け作業が容易になる。
【０００６】
しかし図４に示す棟瓦１は笠木５の上面のみで幅方向に位置決めされているので、屋根勾配が緩やかになる程棟瓦１が幅方向にずれやすく、これにより図３に示す従来例と同様に棟瓦１の取付け作業が面倒であったり、棟瓦１を所定の位置に正確に取付けることができないことがある。また上記した図３及び図４に示すいずれの棟瓦１の取付け構造においても、屋根勾配の異なる屋根板３に棟瓦１を取付ける際には笠木５の位置を調整したり（図３）、屋根勾配に合わせて厚みの異なるスペーサ１７を笠木５に取付けたり（図４）する必要があり、この作業が非常に面倒であり、また笠木５を調整する機構やスペーサ１７等の部材コストがかかってしまい、これにより屋根棟全体としてのコストがかかるという問題があった。
【０００７】
本発明は上記の点に鑑みてなされたものであり、その目的とするところは、棟瓦の葺設の際に屋根勾配に関わらず確実且つ容易に棟瓦を位置決めでき、しかもこのように位置決めした状態で棟瓦を容易に屋根の棟に取付けることができ、棟瓦を取付けた状態において外観が美しく、尚且つコストのかからない棟瓦の取付け構造を提供することを課題とするものである。
【０００８】
【課題を解決するための手段】
上記課題を解決するために本発明に係る棟瓦の取付け構造は、棟２の両側に傾斜した屋根板３を配置し、両屋根板３の表面に屋根板３の棟２側端部から一定距離を隔てた箇所に位置する笠木５を設け、両屋根板３の表面の笠木５よりも棟２の反対側に位置する箇所に笠木５に近接する最上部の屋根瓦４を葺設し、棟２を跨いで配設される棟瓦１を、棟２の上方を覆う棟瓦本体６と、棟瓦本体６の両側端部に設けた載置部７とで構成し、棟瓦本体６の両側の載置部７の近傍に固着具８を打入するための打入部を形成し、棟瓦本体６の裏面の両側に略下方に突出する支持部１０を設け、両支持部１０を前記打入部よりも内方に配置し、両支持部１０の外側面に下に行く程内方に位置するように傾斜する当たり部１２を形成し、棟瓦１の両載置部７を前記最上部の両屋根瓦４に載置すると共に前記傾斜した両当たり部１２の任意の位置を両笠木５の棟２側の上角部１１に当接し、棟瓦本体６の打入部から打入した固着具８を両笠木５に固着することを特徴とするものである。
【０００９】
このように棟瓦本体６の裏面の両側に略下方に突出する支持部１０を設け、両支持部１０を前記打入部よりも内方に配置し、両支持部１０の外側面に下に行く程内方に位置するように傾斜する当たり部１２を形成し、棟瓦１の両載置部７を前記最上部の両屋根瓦４に載置すると共に前記傾斜した両当たり部１２の任意の位置を両笠木５の棟２側の上角部１１に当接することで、屋根勾配に関わらず屋根板３に対して棟瓦１を確実に位置決めすることができ、またこのように位置決めした状態で固着具８による棟瓦１の取付け作業を行うことができるため、固着具８を容易に笠木５に固着することができる。またこれにより、棟瓦１を所定の位置に正確に取付けることが可能となる。
【００１０】
また請求項２記載の棟瓦の取付け構造は、棟２の両側に傾斜した屋根板３を配置し、両屋根板３の表面に屋根板３の棟２側端部から一定距離を隔てた箇所に位置する笠木５を設け、両屋根板３の表面の笠木５よりも棟２の反対側に位置する箇所に笠木５に近接する最上部の屋根瓦４を葺設し、棟２を跨いで配設される棟瓦１を、棟２の上方を覆う棟瓦本体６と、棟瓦本体６の両側端部に設けた載置部７とで構成し、棟瓦本体６の両側の載置部７の近傍に固着具８を打入するための打入部を形成し、棟瓦本体６の棟２方向の複数の箇所に棟瓦本体６の裏面の両側から略下方に突出する支持部１０を設け、各支持部１０を前記打入部よりも内方に配置し、各支持部１０の外側面に下に行く程内方に位置するように傾斜する当たり部１２を形成し、棟瓦１の両載置部７を前記最上部の両屋根瓦４に載置すると共に前記傾斜した各当たり部１２の任意の位置を両笠木５の棟２側の上角部１１に当接し、棟瓦本体６の打入部から打入した固着具８を両笠木５に固着することを特徴とするものである。
【００１１】
このように、棟瓦本体６の棟２方向の複数の箇所に棟瓦本体６の裏面の両側から略下方に突出する支持部１０を設け、各支持部１０を前記打入部よりも内方に配置し、各支持部１０の外側面に下に行く程内方に位置するように傾斜する当たり部１２を形成し、棟瓦１の両載置部７を前記最上部の両屋根瓦４に載置すると共に前記傾斜した各当たり部１２の任意の位置を両笠木５の棟２側の上角部１１に当接することで、屋根勾配に関わらず屋根板３に対して棟瓦１を確実に位置決めすることができ、またこの場合、棟瓦１の当たり部１２を両笠木５の複数箇所に当接することができるため、棟瓦１をより安定した状態で位置決めできる。またこのように位置決めした状態で固着具８による棟瓦１の取付け作業を行うことができるため、棟瓦１をより容易に笠木５に固着することができる。
【００１２】
【発明の実施の形態】
以下、本発明を添付図面に示す実施形態に基づいて説明する。
【００１３】
図１には棟瓦１の取付け構造が示されており、この棟瓦１は屋根勾配が２．５寸勾配（最少屋根勾配）から６寸勾配（最大屋根勾配）までの範囲にある複数種類の屋根板３に取付けられるものである。なお屋根勾配の範囲はこれに限定されるものではない。
【００１４】
建物の棟２の両側には傾斜した屋根板３ａ、３ｂを配している。棟２の両側の屋根板３ａ、３ｂ表面の棟２の近傍には屋根板３ａ、３ｂの棟２側の端部から一定距離Ｄを隔てた箇所に位置する笠木５ａ、５ｂを棟２方向と平行に設けてあり、両笠木５ａ、５ｂは棟２を中心とした幅方向対称位置に配置され、断面矩形状（正方形状）に形成されている。また、両屋根板３ａ、３ｂに設けた笠木５ａ、５ｂは屋根勾配に関わらず夫々の屋根板３ａ、３ｂの棟２側の端部から一定距離Ｄを隔てた箇所に配置されており、その断面形状は同形同大である。
【００１５】
両屋根板３ａ、３ｂの表面の笠木５ａ、５ｂよりも棟２の反対側（軒側）に位置する箇所には笠木５ａ、５ｂに近接する最上部の屋根瓦４ａ、４ｂを葺設してあり、この最上部の両屋根瓦４ａ、４ｂは棟２を中心とした幅方向対称位置に配置されている。すなわち、両屋根板３ａ、３ｂの笠木５ａ、５ｂよりも棟２の反対側の表面には前記笠木５ａ、５ｂに近接する屋根瓦４ａ、４ｂ以外にも複数の屋根瓦４が葺設されており、前記笠木５ａ、５ｂに近接する両屋根瓦４ａ、４ｂは屋根板３ａ、３ｂに葺設されたこれら複数の屋根瓦４のうち最も棟２側に位置するものである。
【００１６】
そして上記の両屋根板３ａ、３ｂの屋根勾配を最低屋根勾配から最高屋根勾配までの範囲内で異ならせて形成することで、図１に示すような異なる屋根勾配を有する複数種類（本実施形態では３種類）の屋根板３が形成される。なお図１（ａ）には２．５寸勾配、図１（ｂ）には４寸勾配、図１（ｃ）には６寸勾配の屋根板３が示されている。
【００１７】
図１には建物の棟２を跨いで配設される棟瓦１が示されている。棟瓦１は幅方向中央部が両側端部よりも上方に位置するように湾曲して形成された棟２を上方から覆う棟瓦本体６と、棟瓦本体６の幅方向の両側端部に一体に設けた載置部７ａ、７ｂとで主体を構成している。棟瓦本体６は、下向きに開口した断面略逆Ｖ字状の逆Ｖ字状部１３と、逆Ｖ字状部１３の両側端部から略外方に向けて突出する固着部１４ａ、１４ｂとからなり、両固着部１４ａ、１４ｂは外方に行く程下方に位置するように傾斜している。
【００１８】
上記棟瓦本体６の棟方向における中央部の幅方向両側の載置部７ａ、７ｂ近傍にはねじや釘等の固着具８を打入するための打入部として、固着具８を挿通するための固着具用孔部９ａ、９ｂを形成してある。
【００１９】
そして棟瓦本体６の棟１方向における中央部の固着具用孔部９ａ、９ｂと略重なる箇所には、棟瓦本体６の幅方向の両側の裏面から略下方に突出する板状の支持部１０ａ、１０ｂを設けている。両支持部１０ａ、１０ｂは前述した棟瓦本体６の両側の固着具用孔部９よりもやや内方に位置するように配置されてあり、また両支持部１０ａ、１０ｂは棟瓦１の幅方向中央部を中心とする対称位置に配置されている。両支持部１０ａ、１０ｂは基端部同士が逆Ｖ字状部１３の幅方向中央部の裏面に形成した接続部１５で接続され一体に形成されている。
【００２０】
上記棟瓦本体６の両側に設けた両支持部１０ａ、１０ｂの外側面には下に行く程内方に位置するように傾斜する当たり部１２ａ、１２ｂを形成している。すなわち、両支持部１０ａ、１０ｂの外側面は、支持部１０ａ、１０ｂの外側面と棟瓦１の垂直線との挟角である傾斜角αが最大屋根勾配を有する屋根板３と水平線の挟角である最大屋根勾配角度βと略同じになるように又は前記傾斜角αが最小屋根勾配角度βよりもやや大きくなるように傾斜しており、また両支持部１０ａ、１０ｂの先端は、最小屋根勾配を有する屋根板３ａ、３ｂに棟瓦１を載置した状態において笠木５ａ、５ｂの棟２側の上角部１１ａ、１１ｂが位置する箇所よりも下方に位置するように設定されており、この支持部１０の外側面の最小屋根勾配における笠木５ａ、５ｂの棟２側の上角部１１ａ、１１ｂが当接する箇所から最大屋根勾配における笠木５ａ、５ｂの棟２側の上角部１１ａ、１１ｂが当接する箇所までを上記当たり部１２としている。更に言うと、上記当たり部１２は、棟瓦１の両載置部７ａ、７ｂの下面の屋根瓦４ａ、４ｂに載置される点Ａまでの距離が屋根瓦４ａ、４ｂの棟瓦１の載置部７が載置される点Ｂから笠木５ａ、５ｂの棟２側の上角部１１ａ、１１ｂまでの距離と略同じとなるように形成されている。
【００２１】
なお、上記では支持部１０及び打入部を棟瓦本体６の棟方向の中央部に設けたがこれに限定されるものではなく、支持部１０及び打入部を棟瓦本体６の棟方向の中央部以外の箇所に設けても良いものとする。
【００２２】
次に上記棟瓦１を屋根勾配の異なる複数種類の屋根板３ａ、３ｂに取付ける場合について説明する。
【００２３】
棟瓦１の取付けは、棟瓦１の支持部１０ａ、１０ｂを両笠木５ａ、５ｂ間に嵌め込んで、棟瓦１の両載置部７ａ、７ｂの下端を夫々前記最上部の各屋根瓦４ａ、４ｂに載置すると共に両支持部１０ａ、１０ｂの当たり部１２の任意の位置を両笠木５ａ、５ｂの棟２側の上角部１１ａ、１１ｂに当接し、これにより棟瓦１を位置決めし、続いて両固着具用孔部９ａ、９ｂから挿通（打入）した固着具８ａ、８ｂの先端部を各屋根板３ａ、３ｂの表面に設けた笠木５ａ、５ｂに固着することで行われる。このように棟瓦１に両笠木５ａ、５ｂの棟２側の上角部１１ａ、１１ｂが当接する当たり部１２を形成し、支持部１０ａ、１０ｂの当たり部１２の任意の位置を各笠木５ａ、５ｂの棟２側の上角部１１ａ、１１ｂに当接させることで、棟瓦１を屋根勾配に関わらず確実に位置決めすることができ、また図３に示す従来例のように笠木５ａ、５ｂの位置を調整したり、図４に示すように笠木５ａ、５ｂの上に厚みの異なるスペーサ１７を配設したりすることなく、棟瓦１を上方から支持部１０ａ、１０ｂ間に嵌め込むといった簡単な作業で棟瓦１を位置決めできる。さらには、この位置決めした状態で固着具８による棟瓦１の取付け作業を行うことができるため、固着具８を容易且つ確実に笠木５に固着することができる。
【００２４】
しかして棟瓦１は図１（ａ）〜（ｃ）に示すように屋根勾配の異なる複数種類の屋根板３に対応して取付けることが可能となる。そして、この棟瓦１を取付けた状態においては、棟瓦１は所定の位置に正確に取付けられた状態であり、尚且つ棟瓦１は屋根瓦４ａ、４ｂに載置された状態であり、棟瓦１と屋根瓦４ａ、４ｂとの間に隙間が形成されず、これらの結果、棟瓦１を取付けた状態の屋根の外観がより美しくなる。またこの棟瓦１を取付けた状態においては、当たり部１２が各笠木５ａ、５ｂの棟２側の上角部１１ａ、１１ｂに当接しているので、図３及び図４に示すものと比して、より強固に取付けることができる。さらに本実施形態の棟瓦１の取付け構造においては、図３の従来例に示す笠木５間の幅を調整する機構や、図４に示す笠木５の上面に厚みの異なるスペーサを設ける必要がなく、部材コストを削減することができる。なお、図１中１６は屋根瓦４ａ、４ｂの載置部７ａ、７ｂを載置する箇所よりも棟２側に設けた面戸材であり、これにより屋根瓦３上面と棟瓦１との間の隙間を埋めている。
【００２５】
次に上記とは異なる実施形態について説明する。本実施形態の棟瓦１の取付け構造は、棟瓦本体６の棟方向の複数の箇所に棟瓦本体６の裏面の両側から略下方に突出する支持部１０を設け、各支持部１０を前記打入部よりも内方に配置し、各支持部１０の外側面に下に行く程内方に位置するように傾斜する当たり部１２を形成した点に特徴があり、上記実施形態と同一の構成については同一の番号を付与してあり、重複する説明については説明を省略する。
【００２６】
まず打入部から説明すると、本実施形態における打入部（固着具用孔部９）は、図２に示すように棟瓦本体６の棟２方向の両端部の幅方向両側の載置部７ａ、７ｂ近傍に形成されており、棟瓦本体６の棟２方向に並んだ両打入部は棟２方向において中心から対称位置に配置されている。なお、本実施形態では打入部を棟瓦本体６の棟２方向の両端部の幅方向両側の計４箇所に設けたものを示したが、打入部を棟瓦本体６の棟２方向の３箇所以上の幅方向両側に設けても良いものとする。
【００２７】
そして、この棟瓦本体６の棟２方向の複数の箇所には棟瓦本体６の裏面の両側から略下方に突出する板状の支持部１０を設けている。詳述すると、図２に示すように棟瓦１の棟２方向における両端部の固着具用孔部９と略重なる箇所に棟瓦本体６の裏面の両側（計４箇所）から略下方に突出する支持部１０を設けている。各支持部１０は前述した棟瓦本体６の両側の固着具用孔部９よりもやや内方に位置するように配置している。また本実施形態においても幅方向に並んだ両支持部１０は棟瓦１の幅方向中央部を中心とする対称位置に配置されており、また両支持部１０の基端部同士が逆Ｖ字状部１３の幅方向中央部の裏面に形成した接続部１５で接続され一体に形成されているものとする。
【００２８】
上記棟瓦本体６の各支持部１０の外側面には上記実施形態と同様に下に行く程内方に位置するように傾斜する当たり部１２ａ、１２ｂを形成している。
【００２９】
そして棟瓦１の取付けは、棟瓦１の各支持部１０を両笠木５間に嵌め込んで、棟瓦１の両載置部７ａ、７ｂの下端を夫々最上部の各屋根瓦４ａ、４ｂに載置すると共に各支持部１０ａ、１０ｂの当たり部１２の任意の位置を各笠木５ａ、５ｂの棟２側の上角部１１ａ、１１ｂに当接し、これにより棟瓦１を位置決めし、続いて各固着具用孔部９から挿通した固着具８の先端部を各屋根板３ａ、３ｂの表面に設けた笠木５ａ、５ｂに固着することで行われる。
【００３０】
このように、棟瓦本体６の棟２方向の複数の箇所に棟瓦本体６の裏面の両側から略下方に突出する支持部１０を設け、各支持部１０を前記打入部よりも内方に配置し、各支持部１０の外側面に下に行く程内方に位置するように傾斜する当たり部１２を形成し、棟瓦１の両載置部７を前記最上部の両屋根瓦４に載置すると共に前記傾斜した各当たり部１２の任意の位置を両笠木５の棟２側の上角部１１に当接することで、棟瓦１の当たり部１２を両笠木５の複数箇所に当接することができるため、棟瓦１を位置決めした際に、棟瓦１が傾かずより安定した状態になる。
【００３１】
【発明の効果】
上記のように本発明の請求項１記載の発明にあっては、棟瓦本体の裏面の両側に略下方に突出する支持部を設け、両支持部を前記打入部よりも内方に配置し、両支持部の外側面に下に行く程内方に位置するように傾斜する当たり部を形成し、棟瓦の両載置部を前記最上部の両屋根瓦に載置すると共に前記傾斜した両当たり部の任意の位置を両笠木の棟側の上角部に当接することで、屋根勾配に関わらず屋根板に対して棟瓦を確実に位置決めすることができ、またこのように位置決めした状態で固着具による棟瓦の取付け作業を行うことができるため、固着具を容易に笠木に固着することができる。また上記により、棟瓦を所定の位置に正確に取付けることが可能となり、棟瓦を取付けた状態における屋根の外観が美しくなる。
【００３２】
また請求項２記載の発明にあっては、棟瓦本体の棟方向の複数の箇所に棟瓦本体の裏面の両側から略下方に突出する支持部を設け、各支持部を前記打入部よりも内方に配置し、各支持部の外側面に下に行く程内方に位置するように傾斜する当たり部を形成し、棟瓦の両載置部を前記最上部の両屋根瓦に載置すると共に前記傾斜した各当たり部の任意の位置を両笠木の棟側の上角部に当接することで、屋根勾配に関わらず屋根板に対して棟瓦を確実に位置決めすることができ、またこの場合、棟瓦の当たり部を両笠木の複数箇所に当接することができるため、棟瓦を安定した状態で位置決めできる。またこのように位置決めした状態で固着具による棟瓦の取付け作業を行うことができるため、棟瓦をより容易に笠木に固着することができる。また上記により所定の位置に棟瓦をより正確に取付けることが可能となり、棟瓦を取付けた状態における屋根の外観がより美しくなる。
【図面の簡単な説明】
【図１】本発明の実施の形態の一例を示すものであり、（ａ）〜（ｃ）は異なる屋根勾配を有する屋根板に棟瓦を取付けた状態を示す断面図である。
【図２】異なる実施の形態の一例を示すものであり、棟瓦の斜視図である。
【図３】従来の屋根瓦の一例を示すものであり、（ａ）〜（ｃ）は異なる屋根勾配を有する屋根板に棟瓦を取付けた状態を示す断面図である。
【図４】従来の屋根瓦の他例を示すものであり、（ａ）〜（ｃ）は異なる屋根勾配を有する屋根板に棟瓦を取付けた状態を示す断面図である。
【符号の説明】
１  棟瓦
２  棟
３  屋根板
４  屋根瓦
５  笠木
６  棟瓦本体
７  載置部
８  固着具
９  支持部
１０  上角部
１２  当たり部
【図１】
2004150041.tif 000003
【図２】
2004150041.tif 000004
【図３】
2004150041.tif 000005
【図４】
2004150041.tif 000006